(57)【特許請求の範囲】
【請求項１】
コンクリート基礎のベース部（１）の上にＨ形鋼からなる鉄骨基礎梁（３）を設置し、この基礎梁（３）上にＨ形鋼からなる鉄骨柱（４）を配置し、一対のスプリットティー（５，５）の底片部（５ａ）を前記鉄骨基礎梁（３）の上フランジ（３ａ）上にボルト（６）で接合し、かつこれらスプリットティー（５，５）の立片部（５ｂ）を前記鉄骨柱（４）の両フランジ（４ａ）にボルト（７）で接合し、前記鉄骨基礎梁（３）の上フランジ（３ａ）上にボルト接合される前記両スプリットティー（５，５）に対応させて、上フランジ（３ａ）の下面に一対のスプリットティー（８，８）の各底片部（８ａ，８ａ）をボルト接合し、そのボルト接合には、鉄骨柱用スプリットティー（５）の接合に用いたボルト（６）を共用し、前記鉄骨基礎梁（３）の前記両スプリットティー（８，８）と対向する下フランジ（３ｂ）上にも他の一対のスプリットティー（８，８）の各底辺部（８ａ，８ａ）をそれぞれボルト（９）によって接合し、これら上下に対向するスプリットティー（８，８）の立片部（８ｂ，８ｂ）は、アングル材（１０）と板状の補強片（１１）とで挟んでボルト（１２）で接合し、前記アングル材（１０）はボルト（１３）により鉄骨基礎梁（３）のウェブ部に接合し、これらスプリットティー（８）、アングル材（１０）、および補強片（１１）は、鉄骨基礎梁（３）のウェブ部の両側に各々設けた柱脚基礎・基礎梁構造。
【請求項２】
前記コンクリート基礎のベース部（１）上に、鉄骨柱（４）の下部を埋め込む高さまでコンクリート基礎上側部（２）を設け、このコンクリート基礎上側部（２）は、前記鉄骨梁用スプリットティー（５）の全体およびこの鉄骨梁用スプリットティー（５）の立片部（５ｂ）を鉄骨柱（４）のフランジ（４ａ）に接合するボルト（７）を埋め込んだものとした請求項１記載の柱脚基礎・基礎梁構造。
【発明の詳細な説明】
【０００１】
【産業上の利用分野】
この発明は、鉄骨造等の建物における柱脚基礎・基礎梁構造に関する。
【０００２】
【従来の技術および発明が解決しようとする課題】
鉄骨造の建物における基礎は通常鉄筋コンクリートであり、鉄骨柱はアンカーボルトで鉄筋コンクリート基礎に接合している。
しかし、鉄筋コンクリート基礎の現場施工においては、配筋や型枠の組立等に多大な労力を費やしている。また、アンカーボルトの埋め込み位置の精度が出し難いため、柱の設置位置の精度が出せず、建物精度の向上を図ることが難しい。そのため、鉄骨柱のベースプレートに明けるアンカーボルト挿通孔には通常数ミリ程度の遊びを持たせている。これにより鉄骨建方や外壁パネルの取付等に大きな逃げが必要となっている。
基礎梁としては、鉄筋コンクリート梁に代えて、Ｈ形鋼等の鉄骨梁としたものも提案されているが、その場合も、鉄骨梁の柱脚についてはコンクリート基礎上にアンカーボルトで接合する構造としているため、前記同様、精度上の問題点がある。
【０００３】
この発明の目的は、施工が容易で鉄骨柱を精度良く設置できる柱脚基礎・基礎梁構造を提供することである。
【０００４】
【課題を解決するための手段】
この発明の柱脚基礎・基礎梁構造は、コンクリート基礎のベース部の上に鉄骨基礎梁を設置し、この基礎梁上に鉄骨柱を配置し、この鉄骨柱の下端を前記基礎梁にボルト接合したものである。
【０００５】
鉄骨基礎梁および鉄骨柱はＨ形鋼とし、一対のスプリットティーで両者をボルト接合する。これらスプリットティーは、底片部を鉄骨基礎梁の上フランジ上にボルト接合し、立片部を鉄骨柱の両フランジに各々ボルト接合する。
鉄骨柱の設置箇所で鉄骨基礎梁の上下フランジ間に、スプリットティー、アングル材、および補強片等の補強部材を設ける。
この柱脚基礎・基礎梁構造において、コンクリート基礎のベース部上に、鉄骨柱の下部を埋め込む高さまでコンクリート基礎上側部を設けても良い。
【０００６】
【作用】
この構成によると、工場で孔明けなどの加工を済ませた鉄骨基礎梁をコンクリート基礎のベース部の上に設置し、この基礎梁上に鉄骨柱の下端をボルト接合することで鉄骨柱を立設できる。そのため、現場施工における配筋や型枠の組立等の労力が不要になり、鉄骨柱の設置精度も向上する。
【０００７】
鉄骨柱をＨ形鋼としてスプリットティーで鉄骨基礎梁にボルト接合する場合は、溶接が不要となり、無溶接工法の鉄骨架構にも応用できる。また、適宜の補強を図ることなどによって、柱脚を剛構造とすることも可能である。
鉄骨基礎梁をＨ形鋼とし、鉄骨柱の設置箇所で上下フランジ間に補強部材を設けた場合は、柱脚の軸方向耐力が向上し、剛構造が更に強化される。
コンクリート基礎上側部で、鉄骨柱の下部を埋め込むようにした場合は、柱脚のボルト接合部の腐食防止が可能となり、また柱脚の引抜き荷重に対する強度が強化される。
【０００８】
【実施例】
この発明の一実施例を図１ないし図４に基づいて説明する。図３は、この柱脚基礎・基礎梁構造を応用した鉄骨架構の正面図である。鉄骨基礎梁３上に複数本の鉄骨柱４を立設し、各鉄骨柱４間に２階以上の階の各床梁３０が接合してある。床梁３０は例えばＨ形鋼からなり、鉄骨柱４にスプリットティー等を介してボルト接合される。ＧＬは地盤面レベルを示す。このような鉄骨架構において、符号Ａで示すような各柱脚基礎部に、図１〜図２に示す柱脚基礎・基礎梁構造が応用される。
【０００９】
この柱脚基礎・基礎梁構造は、コンクリート基礎のベース部１の上にＨ形鋼からなる鉄骨基礎梁３を設置し、この基礎梁３上にＨ形鋼からなる鉄骨柱４を設け、鉄骨柱４の下端を一対のスプリットティー５，５を介して基礎梁３にボルト接合したものである。各スプリットティー５の底片部５ａは鉄骨基礎梁３の上フランジ３ａ上にボルト６で接合し、立片部５ｂは鉄骨柱４の両フランジ４ａ，４ａにボルト７で接合している。
【００１０】
鉄骨基礎梁３の鉄骨柱４の設置箇所では、その基礎梁３の上下フランジ３ａ，３ｂ間にスプリットティー８などの各種の補強部材を組み合わせて設けることにより補強を図っている。すなわち、鉄骨基礎梁３の上フランジ３ａ上にボルト接合される両スプリットティー５，５に対応させて、上フランジ３ａの下面に一対のスプリットティー８，８の各底片部８ａ，８ａをボルト接合する。そのボルト接合には、鉄骨柱用スプリットティー５の接合に用いたボルト６を共用する。また、基礎梁２の前記両スプリットティー８，８と対向する下フランジ３ｂ上にも一対のスプリットティー８，８の各底辺部８ａ，８ａをそれぞれボルト９によって接合する。さらに、これら上下に対向するスプリットティー８，８の立片部８ｂ，８ｂは、アングル材１０と板状の補強片１１とで挟んでボルト１２で接合してある。各アングル材１０はボルト１３により鉄骨基礎梁３のウェブ部に接合してある。これらスプリットティー８等の補強部材は、鉄骨基礎梁３のウェブ部の両側に各々設ける。
【００１１】
両補強片１１の中間位置には、断面Ｔ形の梁接合片１４が、ボルト１５により鉄骨基礎梁３のウェブ部に接合してあり、この梁接合片１４に、鉄骨基礎梁３と直角方向に延びる小梁等の鉄骨基礎梁３′（図４）がボルト接合される。直角方向の梁３′の接合が不要な場合は、梁接合片１４は省略される。なお、各ボルト６，７，９，１２，１３，１５は高力ボルトからなる。
【００１２】
この柱脚基礎・基礎梁構造は、このようにコンクリート基礎のベース部１の上に鉄骨基礎梁３を設置し、この基礎梁３上に鉄骨柱４を配置してボルト接合する構造であるため、現場施工における配筋や型枠配置の労力が不要となる。また、鉄骨柱４を鉄骨基礎梁３で取り合ってボルト接合するため、ボルト挿通孔にアンカーボルトの場合のような大きな遊びを設ける必要がなく、しかも基礎梁３への孔明け加工が工場で行え、このため鉄骨柱４の設置精度を向上させることができる。
【００１３】
また、鉄骨柱４をＨ形鋼としてスプリットティー５で鉄骨基礎梁３にボルト接合するため、溶接が不要となり、例えば図３に示すような無溶接工法の鉄骨架構にも応用できる。このように無溶接工法の鉄骨架構とこの柱脚基礎・基礎梁構造とを併用することで、全体として無溶接でかつ精度の良い建物とすることができる。また、この実施例では基礎梁３をＨ形鋼とし、鉄骨柱４の配置箇所でスプリットティー８やアングル材１０等の補強部材で基礎梁３の上下フランジ３ａ，３ｂ間の補強を行っているため、鉄骨柱４に作用する軸方向荷重に対して堅固な柱脚基礎とでき、柱脚を剛構造とできる。特に、このように鉄骨柱４の両フランジ４ａの下に各補強用の部材８〜１１を設けた場合は、フランジ４ａに作用する軸方向荷重を基礎ベース部１で受けることができ、より堅固なものとなる。しかも、上下のスプリットティー８とアングル材１０と補強片１１とで挟んでボルト接合した補強構造であるため、基礎梁３の上下フランジ３ａ，３ｂ間の寸法ばらつきにも対応可能となる。
【００１４】
なお、前記コンクリート基礎のベース部１上には、必要に応じて鎖線で示すように鉄骨柱４の下部を埋め込む高さまでコンクリート基礎上側部２を設ける。ベース部１から上側部２にかけては鉄筋１６を埋設する。このように、コンクリート基礎上側部２によって鉄骨柱３の下部までを埋め込むことにより、ボルト接合部の腐食を防止できると共に、柱脚における引抜き荷重に対する強度が向上する。
【００１６】
【発明の効果】
この発明の柱脚基礎・基礎梁構造は、コンクリート基礎のベース部の上に鉄骨基礎梁を設置し、この基礎梁上に鉄骨柱を配置し、前記鉄骨柱の下端を前記基礎梁にボルト接合したため、現場施工における配筋や型枠配置の作業を省略でき、省力化が図れる。また、鉄骨柱をボルト接合するための基礎梁への孔明け加工が工場ででき、しかも鉄骨同志で取り合うため、鉄骨柱の設置精度を向上させることができる。
【００１７】
また、鉄骨柱と鉄骨基礎梁との接合をスプリットティーで行ったため、無溶接構造とできる。
さらに、鉄骨基礎梁をＨ形鋼とし、鉄骨柱の設置箇所で鉄骨基礎梁の上下フランジ間に補強部材を設けるため、鉄骨柱に作用する軸方向荷重に対して柱脚の強度を向上させることができる。
請求項２の発明の場合は、鉄骨柱の下部を埋め込むコンクリート基礎上側部を設けたため、ボルト接合部の腐食防止が可能となると共に、柱脚の引抜き荷重に対する強度を向上させることができる。
【図面の簡単な説明】
【図１】この発明の一実施例である柱脚基礎・基礎梁構造を示す斜視図である。
【図２】同実施例の正面図である。
【図３】同実施例を適用した鉄骨架構を示す正面図である。
【図４】同実施例の平面図である。
【符号の説明】
１…コンクリート基礎ベース部、２…コンクリート基礎上側部、３…鉄骨基礎梁、３ａ，３ｂ…上下フランジ、４…鉄骨柱、４ａ…フランジ、５…スプリットティー、５ａ…底片部、５ｂ…立片部、８…スプリットティー（補強部材）、１０…アングル材（補強部材）、１１…補強片、１７…ベースプレート、１９…補強プレート
【図１】
0003611876.tif 000002
【図２】
0003611876.tif 000003
【図３】
0003611876.tif 000004
【図４】
0003611876.tif 000005